【手続補正書】
【提出日】平成18年5月30日(2006.5.30)
【手続補正１】
【補正対象書類名】明細書
【補正対象項目名】特許請求の範囲
【補正方法】変更
【補正の内容】
【特許請求の範囲】
【請求項１】  一画素中にＹ値の異なる２つの領域を含み、複数色の画素が配されたカラーフィルターであって、少なくとも１色の画素のＹ値の異なる２つの領域の少なくとも境界領域には着色層以外の樹脂層が形成され、且つカラーフィルターの表示領域外に該着色層以外の樹脂層を形成した領域を有することを特徴とする液晶表示装置用カラーフィルター。
【請求項２】  表示領域外の額縁領域に、着色層以外の樹脂層を形成した領域を有することを特徴とする請求項１記載の液晶表示装置用カラーフィルター。
【請求項３】  表示領域外のシール領域に、該着色層以外の樹脂層を形成した領域を有することを特徴とする請求項１または２に記載の液晶表示装置用カラーフィルター。
【請求項４】  液晶表示装置組み立て時にカットされる領域に、着色層以外の樹脂層を形成した領域を有することを特徴とする請求項１〜３のいずれかに記載の液晶表示装置用カラーフィルター。
【請求項５】  液晶注入口領域に、着色層以外の樹脂層を用いた液晶注入ガイドを有することを特徴とする請求項１〜４のいずれかに記載の液晶表示装置用カラーフィルター。
【請求項６】  Ｙ値の小さい領域が透過用領域であり、Ｙ値の大きい領域が反射用領域であることを特徴とする請求項１〜５のいずれかに記載の液晶表示装置用カラーフィルター。
【請求項７】  画素内の反射用領域に形成されている着色層以外の樹脂層の面積が、透過用領域に形成されている面積より広いことを特徴とする請求項１〜６いずれかに記載の液晶表示装置用カラーフィルター。
【請求項８】  着色層以外の樹脂層を有する画素において、Ｙ値の小さい領域には複数の着色層が積層され、かつＹ値の大きい領域には着色層が１層もしくは着色層の積層数が透過用領域の着色層数よりも少ないことを特徴とする請求項１〜７の何れかに記載の液晶表示装置用カラーフィルター。
【請求項９】  額縁領域に黒色遮光層を有することを特徴とする請求項１〜８のいずれかに記載の液晶表示装置用カラーフィルター。
【請求項１０】  シール領域に黒色遮光層を有することを特徴とする請求項１〜９のいずれかに記載の液晶表示装置用カラーフィルター。
【請求項１１】  黒色遮光層が、遮光剤を分散した樹脂であることを特徴とする請求項９または１０に記載の液晶表示装置用カラーフィルター。
【請求項１２】  遮光剤として酸化窒化チタンを含むことを特徴とする請求項１１に記載の液晶表示装置用カラーフィルター。
【請求項１３】  積層された着色層のうち下層の着色層がポリイミド樹脂からなる請求項１〜１２のいずれかに記載の液晶表示装置用カラーフィルター。
【請求項１４】  請求項１〜１３のいずれかに記載の液晶表示装置用カラーフィルターを用いたことを特徴とする液晶表示装置。
【請求項１５】  液晶表示装置用カラーフィルター、または液晶層を挟んでカラーフィルターに対向する基板の少なくとも一方の基板上に、柱状スペーサーを有することを特徴とする請求項１４記載の液晶表示装置。
【手続補正２】
【補正対象書類名】明細書
【補正対象項目名】００１２
【補正方法】変更
【補正の内容】
【００１２】
これら総じて、半透過型液晶表示装置において、透過用領域と反射量領域との少なくとも境界領域に透明樹脂等を形成している半透過型液晶表示装置では、額縁付近の表示品位が悪くなり、特に液晶注入口付近の表示ムラが悪かった。
【手続補正３】
【補正対象書類名】明細書
【補正対象項目名】００２１
【補正方法】変更
【補正の内容】
【００２１】
【課題を解決するための手段】
本発明者らは、従来技術の課題を解決するために鋭意検討した結果、以下のカラーフィルターによって半透過型液晶表示装置の額縁付近の表示ムラが無く、所望の色特性（色純度、明るさ）を得ることが可能な液晶表示装置を提供できることを見いだした。さらに、反射表示と透過表示とで所望色純度明るさに加えて所望の色調を加えて得ることが可能であって、かつ工程増加を抑えて、低コストにカラーフィルターを製造可能であり、かつ、表示品位の高い半透過型液晶表示装置を低コストに実現可能であることを見出した。
すなわち、
（１）  一画素中にＹ値の異なる２つの領域を含み、複数色の画素が配されたカラーフィルターであって、少なくとも１色の画素の、Ｙ値の異なる２つの領域の少なくとも境界領域には着色層以外の樹脂層が形成され、且つカラーフィルターの表示領域外に該着色層以外の樹脂層を形成した領域を有することを特徴とする液晶表示装置用カラーフィルター。
【手続補正４】
【補正対象書類名】明細書
【補正対象項目名】００５１
【補正方法】変更
【補正の内容】
【００５１】
本発明においては、現像性を制御するよう透過用領域と反射用領域の境界領域に、段差形状を形成することが重要である。現像性を制御するための着色層以外の樹脂層は、透過用領域と反射用領域の境界領域のみに形成されていてもよく、反射用領域の全体に渡って形成されていてもよい。ここでいう着色層とは、液晶表示装置の発色のために用いられる層を指し、例えば透明樹脂層、遮光層などは含まないものとする。また、ここでいう境界領域とは、Ｙ値の異なる２つの領域間で、Ｙ値の変化が最も大きい点から±１０μｍ以内に含まれる領域を指す。着色層以外の樹脂層が透明樹脂層である場合は、透過用領域と反射用領域の境界領域のみに樹脂層が形成されていてもよく、反射用領域全体について樹脂層が形成されていてもよい。図１は反射用領域全体に樹脂層が形成されている例を示したものであり、透過用領域６は複数の着色層が積層されており、反射用領域７は着色層と樹脂層３が積層されている。
【手続補正５】
【補正対象書類名】明細書
【補正対象項目名】００５９
【補正方法】変更
【補正の内容】
【００５９】
本発明においては、現像性を制御するために着色層以外の樹脂層を、透過用領域と反射用領域の少なくとも境界領域に形成する必要がある。ここでいう着色層とは、液晶表示装置の発色のために用いられる層を指し、例えば透明樹脂層、遮光層などは含まないものとする。
【手続補正６】
【補正対象書類名】明細書
【補正対象項目名】００６０
【補正方法】変更
【補正の内容】
【００６０】
着色層以外の樹脂層が遮光層である場合は、画素内では透過用領域と反射用領域の境界領域のみに樹脂層が形成されている方が、画素の有効表示面積（開口率）の減少が抑えられ好ましい。また、開口率の低下をさらに少なくするため、その線幅は１０μｍ以下が好ましく、７μｍ以下がより好ましい。また、パターン加工性の観点からは、遮光層の膜厚は、７μｍ以下が好ましく、５μｍ以下がより好ましく、３μｍ以下がさらに好ましい。
【手続補正７】
【補正対象書類名】明細書
【補正対象項目名】００６１
【補正方法】変更
【補正の内容】
【００６１】
一方、着色層以外の樹脂層が透明樹脂層である場合は、画素内では透過用領域と反射用領域の境界領域のみに該樹脂層が形成されていてもよく、反射用領域全体について該樹脂層が形成されていてもよい。
【手続補正８】
【補正対象書類名】明細書
【補正対象項目名】００６９
【補正方法】変更
【補正の内容】
【００６９】
半透過半反射型液晶表示装置では、特に反射表示は液晶層をフロントライト光や外光が２回通過した光を用いることから、液晶層のギャップ（セルギャップ）の変動に対して、表示品位が変わりやすい。特に透過用領域と反射用領域の少なくとも境界領域に着色層以外の樹脂層を形成するカラーフィルターにおいては、表示領域外に比べて表示領域内の樹脂層の合計膜厚が厚くなるため、表示領域内と外でのセルギャップの変動が大きく、即ち額縁付近での表示品位が悪くなりやすい。従って、本発明のカラーフィルターにおいては、表示領域外に着色層以外の樹脂層を形成した領域を有することが好ましい。この着色層以外の樹脂層を表示領域外にも形成することで、表示領域内と表示領域外の樹脂層の合計膜厚の差を縮め、表示品位が向上する。表示領域外でも特に、シール領域や、額縁領域に形成することが好ましい。これら表示領域外の該樹脂層の形成は、表示領域内での該樹脂層の形成と同時に行う。
【手続補正９】
【補正対象書類名】明細書
【補正対象項目名】０１２０
【補正方法】変更
【補正の内容】
【０１２０】
本発明の、一画素中に透過用領域と反射用領域を含み、複数色の画素が配されたカラーフィルターであって、少なくとも１色の画素の透過用領域と反射用領域の少なくとも境界領域には着色層以外の樹脂層が形成され、且つカラーフィルターの表示領域外に、該着色層以外の樹脂層を形成した領域を有する構成は、従来の技術で説明した、画素の構成が、反射用領域に着色層以外の樹脂層を形成して、透過用領域と反射用領域で着色層の膜厚を変えた構成のものにも適用してもよい。図２は、膜厚を調整する方式での半透過型液晶表示装置用カラーフィルターの断面図を模式的に示したものであるが、反射用領域７には透明樹脂層３が形成され、反射用領域７の着色層４の膜厚は、透過用領域６の着色層４の膜厚に比べて、薄くなっている。